【手続補正書】
【提出日】平成18年2月14日(2006.2.14)
【手続補正１】
【補正対象書類名】明細書
【補正対象項目名】全文
【補正方法】変更
【補正の内容】
【書類名】明細書    【発明の名称】ムカデ撃退用のつなぎ式滑り壁    【発明の詳細な説明】    【技術分野】    【０００１】  本発明は多足生物の大きな弱点を突いた本格的なムカデ撃退のアイデアに関するものである。    【従来の技術および発明が解決しようとする課題】    【０００２】  毎年、蒸し暑い夏場になれば、恐ろしいムカデの出現（家屋内への侵入）で、山野の近くに住む人々は絶えず怯えながら、夜毎その安眠迄も妨害されながら暮らしてきた。    【０００３】無防備の就寝中恐ろしいムカデに顔や頭を、あの不気味な多足でゾロゾロ這われてその感触で目を覚まし、恐怖で全身が引きつった体験を持つ人も決して少なくないはずである。天井近く這い上がっていたムカデが突然頭上から落ちてきたり、背後から音も無く這い寄ってきたムカデに背中を這い上がられることになったり…という具合で、山野の近くに住む人々は毎年夏場が訪れる度に、そんなムカデの恐怖で絶えず寿命が縮む思いで暮らしてきた。（最悪の場合は、そんなムカデに噛みつかれる事にも…）    【０００４】人間が眠りに入る夜になって恐ろしいムカデがその活動を始める（エサを求めて這い回る）そんな夜行性のムカデがどんなに恐ろしくても、不気味なその姿態を目にするのがどんなに嫌であっても、そのムカデの屋内への侵入を防止する方法が無い以上、人々は多足の恐怖の渦巻く中で諦めて暮らすしかなかったのである。    【０００５】「ムカデが怖くて夏場は一晩中屋内の明かりを消すこともできない……」という山野の近くに住む人々の声はどこに行っても聞かされた。「大ムカデに噛みつかれてしばらく病院に入院していたこともある……」というお年寄りの声も耳にした。山野の近くに住む人々にとって毎年の暖かい春（夏場）の訪れは、同時に夜毎のムカデの恐怖の訪れともなっていた。これでは、毎年訪れるせっかくの春も手放しでは喜べないことになる。衣服を身につける場合でも、夏場はその中に恐ろしいムカデが潜んでいないかどうか、いちいち調べてからでないと大変なことになる。    【０００６】そんなムカデの恐怖のことを全く知らない人たちが、美しいみどりの自然とのんびりした田舎暮らしに憧れて、都会から田舎に移り住んだとしても夜毎のムカデの恐怖を一度でも体験すれば、「のんびりした田舎暮らしの裏側には夜毎のこんな地獄が隠れていたのか…」と、田舎に移り住んだことを内心絶えず後悔しながら暮らすことにもなるだろう。子供の頃から田舎に住んで馴れている人たちでも恐ろしいムカデの出現には絶えず怯えながら、夜毎その安眠迄も妨害されながら暮らしているのである。都会からいきなり田舎に移り住めば、夜毎“地獄の恐怖”を味わうことになるだろう――ということである。    【０００７】絶えずつきまとうムカデの恐怖で夜毎熟睡ができず寝不足のまま昼間車を運転中、つい居眠りが出て重大な交通事故を引き起こさない――とどうして言えるでしょう。それを考えると車時代・スピード時代の屋内のこのムカデの恐怖は「人命」にも大きくかかわっていることにもなる。    【０００８】多足の芸当を誇ってどんな所からでも這い上がり、どんな小さな隙間からでも屋内に侵入してくるそんなムカデであるが、意外にもムカデはその足に大きな“弱点”を隠し持��ていた。多足の裏側に隠れていたムカデの大きな弱点を発見した私は、一人ユニークなその研究に取り組み、ムカデの侵入をその“水ぎわ”で残らず撃退してしまう簡単でその効果抜群――という本格的なムカデ撃退のアイデアを発明した。そのアイデアは現在特許出願中（平成１２年特許願第１７６０９３号）であるが、本発明は先のその発明の素材をコンクリートからプラスチックにしたアイデアである。    【０００９】現在特許出願中の先のその発明はユニークな形状の一段のコンクリートブロックで家屋を万里の長城方式にぐるり囲み、そのブロックのぐるりの線に滑り材（ポリチューブ）を貼着する――というアイデアであった。ユニークな形状のコンクリートブロックをプラスチックにした場合、プラスチックそのものがムカデを滑り落とす強力な滑り材となり、先細りのその形状がコンクリートブロックの役目も同時に果たしてくれることにもなるので、このアイデアの場合、滑り材（ポリチューブ）も一段のコンクリートブロックも不要なものとなる。（滑り材をブロックの壁面にいちいち貼ったりはがしたり……という面倒もこのアイデアの場合全て省かれることにもなるのである。）    【００１０】本発明を図面について説明すると次の通りである。図１、図２、図３、図４は何れも本発明のムカデ撃退用のつなぎ式滑り壁（１）の断面図である。このつなぎ式滑り壁（１）は“プラスチック”としているが必ずしもプラスチックに限らない。滑り壁となるものなら何でもよいのである。この滑り壁（１）の内部（２）は全てトンネル状の空洞になっている。    【００１１】それに、添付した断面図ではその構造を解り易くする為にこのプラスチックの滑り壁（１）をやたらに厚く書いているが実際には（実物は）図示するような厚いものではない。プラスチックは薄くても頑丈――という大きな特徴を持っているので、この断面図で示すようにその滑り壁（１）を厚くする必要もないのである。    【００１２】ムカデ撃退用のこのつなぎ式滑り壁（１）の高さであるが、最低でもその地方に生息する大ムカデの体長より３ｃｍ以上は高くしておく必要がある。長さの方はその一個の長さが普通のコンクリートブロックの３、４個分以上あった方がよいと思う。長ければ長い程よいと思う。長ければ長い程そのつなぎ目が少なく済むからである。面積が大きな家屋の場合は、このつなぎ式滑り壁（１）の数を多く使ってつなぎ合わさなければならないし、小さな家屋の場合は、その数が少なくても家屋をぐるり囲める――という訳である。    【００１３】プラスチックのこのつなぎ式滑り壁（１）を横へ横へと並べてつないで行ってこのつなぎ式滑り壁（１）で家屋をぐるり囲む訳である。家屋の角々に使うプラスチックのそれは、先の一段のコンクリートブロックの発明の時と同様、家屋のその部分の形に合わせた形状のものにして家屋をぐるり囲めるようにしなければならないことはもちろんである。今回は断面図だけなのでその形状がピンと来ない場合は、先の発明の出願書類に目をお通し頂ければその形状の全てがお解り頂けると思う。この滑り壁（１）の横腹に水抜き穴をくり抜いた場合はその水抜き穴に目の細かい金アミをはることも忘れてはならないことである。    【００１４】プラスチッ��のこのつなぎ式滑り壁（１）で家屋をぐるり囲めばムカデはその滑り壁（１）の線の部分から中にもう這い込んで来ることはできないことになる。ムカデの足は滑り壁（１）の表面で滑りに滑って……と言いたいがまだまだそんな効果の発揮できるものではない。プラスチックのこのつなぎ式滑り壁は先の一段のコンクリートブロックのようにそれを家屋の周囲にコンクリートで固定するものではないからである。そんな硬いプラスチックで家屋をぐるり囲んでもそのプラスチックの下はスキ間だらけとなってしまう。ムカデはそんなスキ間からこれ迄通り屋内にゾロゾロ這い込んで来ることに変わりはないからである。    【００１５】そこで本発明はこのプラスチックの下にスポンジを敷くことにした。（家屋の周囲の地面はだいたいどこの家でも平坦になっているので、このプラスチックの下に敷くスポンジのそれは薄くて細幅のもので十分にその役目を果たしてくれることになる。）しかし、プラスチックの下にスポンジを敷いただけではとても十分とは言えないだろう。プラスチックは重いコンクリートブロックと違い、あまりにも軽過ぎるからである。その下にスポンジを敷いてもフワフワしてそのプラスチックの座りもよくないだろう。（ムカデを撃退する“滑り壁”とはならない。）    【００１６】しかもそのプラスチックの内部（２）は全てトンネル状の空洞になっている。そんな軽いプラスチックで家屋をぐるり囲んでもちょっと強い風でも吹けば下に敷いたスポンジもろともたちまちどこかに吹き飛ばされてしまうことになるだろう。    【００１７】そこで本発明はプラスチック（１）内部（２）の空洞内の穴（３）に鉄棒を差し込むアイデアをプラスすることにした。（住宅建築の基礎工事の現場等でよく使われている細くて長い鉄棒である。）鉄棒一本の重みで足らない……と思えば２本…３本…とその穴（３）に鉄棒を差し込めばよい訳である。    【００１８】このつなぎ式滑り壁（１）の下にスポンジを敷いてその内部（２）の空洞の穴（３）に鉄棒を差し込んでおけば、そのプラスチックの下にできるスキ間というスキ間は全て押しつぶされて消えてなくなることになる。そのぐるりの線がつなぎ合ってずっしりと重いものにもなるので強風でそれが吹き飛ばされることもなくなる訳である。この方法で家屋をぐるり囲んでおけばムカデの這い込むスキ間は全くどこにも残らない。人間が普通なら深い眠りに入る真夜中でもこの「ムカデ撃退用のつなぎ式滑り壁」は一日２４時間一秒も休むことなく人家に這い寄って来るムカデというムカデは一匹残らず撃退しつづけてくれることになる。従って恐ろしいムカデが夜な夜な這いまわる夏場でも家の中では恐ろしいムカデのことなどいっさい忘れて安心して暮らせることになる――という訳である。    【００１９】先のページでも説明したようにユニークな形状の一段のコンクリートブロックで家屋をぐるり囲み、そのブロックのぐるりの線に滑り材（ポリチューブ）を貼着する――という方法もあるにはある。先のそのアイデアも私の発明であるが、ムカデというムカデはいっさい寄せつけないその「効果」の面から見れば本発明と並んで何れも本格的なものである。しかし万一のことを考えると（家屋の周りのそのブロック線の近くで転倒したりした場合のことを考えると）コンクリートの線では危険がつきまとわないこともない。その線をコンクリートから内部が空洞の弾力のあるプラスチックにした場合そんな危険は全て解消される。それに、一度家屋の周囲にコンクリートブロックの線を築けば半永久的にその線は動かせない――というものでは家屋によってはその線が邪魔にならないこともないだろう。（特にムカデのいない冬場などは絶えずその線が目障りになるのではないだろうか…）    【００２０】本発明の場合夏場が終わって恐ろしいムカデの出現が無くなれば家屋を囲むプラスチックのこの線は全部分解して取り外し物置などにしまっておくこともできる。次の年の夏場になれば又それを取り出して同じ方法でつないで使用する――という訳である。（プラスチックは永久に腐ることがないようなので、こんな方法で毎年それを使えるものになるはずである。）コンクリートブロックのようにムカデのいない冬場家屋を囲むその線が邪魔になることも目障りになることもない――という訳である。    【００２１】それからこのつなぎ式滑り壁（１）のそのつなぐ方法であるがつなぐ方法はいろいろある。つなぐその方法は滑り壁（１）のその形状によっても違って来るだろう。上からその先端部分をかぶせて次々につないでいく方法もあれば、滑り壁（１）の空洞（２）に一方の端を次々に差し込んでつないで行く方法もある。上からかぶせて隠れる部分（重なって下になる部分）をやや細めに、上になる一方のその先端部分をやや太めにしておけば、重なる部分も全て同じ大きさとなり美しい線となるだろう。    【００２２】上からもかぶせず空洞にも差し込まずにそれをつなぐ方法もある。それは滑り壁（１）と滑り壁（１）のつなぎ目に滑り材（ポリチューブ）を貼着する――という方法である。滑り壁のタテの線となる浅いひっかかりはムカデの誇る“多足の芸当”の足場とはならない。（タテの浅いひっかかりがあってもムカデは滑りに滑って滑り壁（１）のそれを這いあがれない）が万一のことを考えてそのつなぎ目となる部分にポリチューブを貼着しておく――という方法である。    【００２３】このつなぎ式滑り壁（１）の素材がやや厚目でつなぎ目にできるひっかかりがやや深くなるような場合でもそのつなぎ目のひっかかりが全て“下向き”になるように斜めの線（形状）にしておけば、ムカデは絶対に下向きのひっかかりを這いあがることはできない。下向きのひっかかりはムカデの誇る“多足の芸当”の足場とはならない。    【００２４】図３、図４で示すようなムカデ撃退用のつなぎ式滑り壁（１）の場合もある。図４のように、滑り壁（１）の先端が地を這うような形で外側にはみ出している形状の場合は滑り壁（１）を上から次々にかぶせてつないでいく方法がいちばんぴったり合っていると思う。そして地を這って重なるその部分にキリで穴をあけ、大クギを地面に打ち込んでおく方法もある。この方法を用いた場合、つなぎ式滑り壁（１）はそれで完全に固定されることになるので、その滑り壁（１）内部に鉄棒を差し込む必要は無くなる。    【００２５】又、この滑り壁（１）内部の鉄棒を差し込む穴（３）であるが、この穴（３）は滑り壁（１）内部（２）空洞の所々に点々とあるだけでも十分にその役目を果たしてくれることになるが、「金太郎飴」のようにこの滑り壁（１）のどの部分を切断しても同じこの形状をしていてもよい訳である。    【００２６】本発明のつなぎ式滑り壁（１）の素材ができるだけ少なく済むように４枚の断面図は何れも先細りに書いているが、このつなぎ式滑り壁（１）は必ずしも先細りになっている必要はない。トンネルの入り口（出口）の形のように上の部分が丸くなっていて全体が上から下迄同幅になっていてもよい訳である。それに、片方を凸型にして、もう一方を凹型にして容器のフタをするような形でつなぎ合わせる方法もある。（４枚の断面図が示すように、人間が両足を広げて踏ん張った下半身と同一の形状をしているので、一枚板のように何かに寄りかからなくても倒れることもない――）    【００２７】鉄棒を差し込む穴（３）のないこのつなぎ式滑り壁（１）の場合（図２、図３、図４の場合）、これを使用する各家庭でこの鉄棒を差し込む穴（３）を取り付けるようにしなければならない。今は優れた接着剤も市販されており各家庭でこの鉄棒を差し込む穴（３）はきわめて容易に取り付けられるはずである。例えば図１で示すそのままに滑り壁（１）の内部の空洞（２）を上下二つに仕切る形でつっかい棒を入れてそれをくっつける方法、又は適当な太さのビニール管をノコギリで１ｃｍ程の長さにどんどん切断してそのワッカの一つ一つを滑り壁（１）のてっぺん部分（４）の内側に点々とくっつければそれだけで鉄棒を差し込む穴は空洞内に丸くりっぱに出来上がることになる。（それは子供にでも出来る簡単なことである。）    【００２８】鉄棒を差し込む穴（３）をこのように滑り壁（１）内部（２）の一段高い所に取り付けたのは他でもない。重しとなる中の鉄棒が雨水に濡れることになれば、たちまちその鉄棒は目も当てられない程に錆びて腐ることになるからである。    【００２９】ムカデ撃退用のこのつなぎ式滑り壁（１）は当然屋外（軒下）に並べて使用するものであるが、中の鉄棒だけは雨水が軒下に吹き込んでも、そんな雨水に濡れないように本発明のつなぎ式滑り壁（１）内部（２）の空洞の一段高い所の穴（３）に固定されていてしっかり守られている――という訳である。（このつなぎ式滑り壁（１）の壁面に“水抜き穴”をあける必要のあるような場合でも、その“水抜き穴”は鉄棒を差し込む穴（３）よりも当然低い部分にあけるようにしなければならないことはもちろんである。）本発明のこのつなぎ式滑り壁（１）の内部（２）の空洞の中に雨水は、その上の部分からは全く入らないようになっている――という訳である。    【００３０】それに、この「ムカデ撃退用のつなぎ式滑り壁」は透明でない方が良いと思う。製造段階で鮮やかなグリーン（又はレッド等）に着色すれば、ムカデ撃退の抜群の効果に加えて、見た目も美しいものになると思うからである。    【００３１】これまで、いろいろの角度からムカデの誇る“多足の芸当”を実験・研究してきたが、ムカデの体長よりも深いプラスチックの容器から這い上がった（這い出した）ムカデは一匹も居なかった。夜になると、ムカデはその容器から這い出ようとして一晩中でも必死になってもがき、這い上がろうとするがムカデの足はツルツル滑るばかり…ツルツル滑る足にムカデの体重までがのしかかることになって、絶対にムカデはそれを這い上がれない。この「ムカデ撃退用のつなぎ式滑り壁」は、そんなムカデの大きな弱点を突いた発明なのである。    【００３２】先のページで私は「山野の近くに住む人々にとって毎年の暖かい春の訪れは、同時に夜毎のムカデの恐怖の訪れともなっていた。これでは毎年訪れるせっかくの春も、手放しでは喜べないことになる」と説明した。が、ムカデというムカデは一切寄せ付けないこのアイデアの誕生で夏場の人々の暮らしは“一変”することになるだろう。家屋にこのアイデアさえ使用しておけば、ムカデが夜な夜な我が物顔で這い回る夏場でも、屋内では恐ろしいムカデのことなど一切忘れて、安心して暮らせることになるだろう。    【発明の効果】この発明によって田舎暮らしの“株”が、これから全国的にはねあがることにもなるのではないだろうか。「コンクリートジャングルのような都会の生活を捨てて美しいみどりの自然がいっぱいの田舎に移り住みたい……」という人たちもこれから急増することにもなるのではないだろうか……。ということは山村の過疎化にも天から大きなブレーキがかかる――ということではないだろうか？…  人々にとって安息の場であるはずの家屋内に居ても夏場の約半年間は、これ迄絶えずつきまとっていたムカデの恐怖が解消されて、人々が夜毎安眠・熟睡できるようになれば居眠り運転の交通事故もこれから何割か減って行くことにもなるだろう。  ムカデの恐怖は意外に広く意外に深く人々の心に突き刺さっている深刻な悩みだけに、このアイデアが世の中に普及していけば同時に居眠り運転の交通事故もこれからびっくりする程減って行くことになるのではないだろうか…（人命にも関わる危険な居眠り運転をこれからどんどん減らして行く）  それが、本発明の隠れた大きな効果ともなっている。  屋内でのムカデの恐怖が解消されれば屋内のムダなあかりを一晩中つけておく必要もなくなり、それを全国規模で見れば電力の節約にもこれからかなりつながって行くことにもなるのではないだろうか。    【図面の簡単な説明】    【図１】本発明の断面図  １    【図２】本発明の断面図  ２    【図３】本発明の断面図  ３    【図４】本発明の断面図  ４    【符号の説明】１．本発明のムカデ撃退用のつなぎ式滑り壁本体２．つなぎ式滑り壁内部の空洞３．重しとなる鉄棒を差し込む穴４．本発明のつなぎ式滑り壁のてっぺん部分【手続補正２】
【補正対象書類名】特許請求の範囲
【補正対象項目名】全文
【補正方法】変更
【補正の内容】
【特許請求の範囲】
【請求項１】
図１の断面図が示すようにムカデ撃退用のつなぎ式滑り壁（１）の内部（２）が空洞になっていて、その空洞（２）内につなぎ式滑り壁（１）の重しとなる鉄棒を差し込む穴（３）のあることを特徴とするムカデ撃退用のつなぎ式滑り壁
【請求項２】
図２の断面図が示すようにムカデ撃退用のつなぎ式滑り壁（１）の内部（２）が空洞になっていて、そのつなぎ式滑り壁（１）の重しとなる鉄棒を差し込む穴は、これを使用する各家庭でそれぞれ各自に取り付け可能なムカデ撃退用のつなぎ式滑り壁
【請求項３】
図３の断面図が示すようにムカデ撃退用のつなぎ式滑り壁（１）の内部（２）が空洞になっていて、その空洞のぐるりも滑り壁（１）になっていて、空洞内（２）の鉄棒を差し込む穴は請求項２同様これを使用する各家庭でそれぞれ各自に取り付け可能なムカデ撃退用のつなぎ式滑り壁